(57)【要約】      （修正有）【課題】本練習用具を着用することで理想的なフォームの体得効果を短期間に実現でき、飛距離の伸長並びに方向性確保も格段に向上することを目的としたゴルフ練習用具を提供する。【解決手段】バックスイングからスィングフォロースルーに至るまで左腕の屈曲を防ぐため、縦２０ｃｍ、幅１５ｃｍ、厚さ２ｍｍを標準サイズとした長方形合成皮革または布製の袋形を、更に縦１０列程度に縫合区切り、弾力性の小さいかつ薄板を１０列１０枚程度を縦方向に内包するアタッチメントを実現する。また、関節中央部に位置させ上腕と前腕を一体的に包み込み、アタッチメント上下端二か所を腕に固定するマジックテープベルト２本を構成する。【選択図】図１
0003173079.tif 000002
【実用新案登録請求の範囲】
【請求項１】
（１）バックスイングからスィングフォロースルーに至るまで右利きの人は左腕の屈曲を防ぐためのゴルフ練習用具で、縦２０ｃｍ、幅１５ｃｍ、厚さ２ｍｍを標準サイズとした長方形合成皮革または布製の袋形を、更に縦１０列標準に区切った縦方向の袋形を形成し、肘後方を中央に上腕と前腕を一体的かつ左腕周囲を包み込むアタッチメント。
【請求項２】
（２）長さ１８ｃｍ、幅１０ｍｍ、厚さ１ｍｍを標準サイズとした弾力性の小さい板を請求項１に形成された袋形のケースに内包し、左腕を包む動きはフリーであるが、スィングフォロースル−に至るまで肘関節の屈曲を抑制する請求項１記載のゴルフ練習用具。
【請求項３】
（３）弾力性の小さい板を内包したアタッチメントを左腕に固定するためのサイズフリーマジックテープを特徴とするベルトを上下両端部に備わる請求項１記載のゴルフ練習用具。
【請求項４】
（４）軽量アルミニュームまたはセルロイドを素材とする弾力の小さいかつ薄板を内包した請求項１記載のゴルフ練習用具。
【考案の詳細な説明】
【技術分野】
【０００１】本考案は、ゴルフスィングフォームを理想的な形に矯正することができ、短期間かつ効効率的に体得することのできる練習用具に関する。
【背景技術】
【０００２】ゴルフプレーは当該ゴルフボールをより遠くへ、かつ一定のレンジ内に運ぶこと、１００ヤード前後のショートアプローチはより正確な方向性確保が基本とされている。この実現には、ゴルフクラブのスィング軌道が重要であり、特にバックスイングとインパクト（球打）並びにスィングフォロースル−に至るまで一連の理想的スィングアークを体得するゴルファーのスイングフォームが重要である。
このスィングフォームの中で最重要課題は、バックスイングからスィングフォロースル−までよく伸びた右利き左肘、とりわけインパクト直後から始まる左肘のたたみをより少ないフォロースル−が理想形で、この際にもよく伸びた右利き左肘を維持することを基本とする左腕を形成することである。
このスィングフォームを体得するためゴルファーは多くの時間を費やしている。そこで一連の軌道を体得するための種々のゴルフ練習用具が提案されている。
例えば特許文献１は、上腕部と肩の付け根のあいだの長さを不変とするスペーサーを設け、両肩と腕にて作る三角形を崩さないことで、理想のスィングフォームを可能とするゴルフ練習用具が開示されている。
また、特許文献２は、バックスイングからダウンスイングそして球打までの左肘の屈曲を防止するため、上腕部弾力板並びに前腕部弾力版を形成し、それぞれに装着された両弾力版をキープレートの掛け合いにより固定し肘の屈曲を防止し、球打の瞬間に掛け合いが解除され、直後から肘の屈曲は自在になるゴルフ練習用具が開示されている。
以下従来の技術について先行技術文献に示されている。
【先行技術文献】
【特許文献】
【０００３】
【特許文献１】実用新案公開平６−７５５４９
【特許文献２】特許公開平６−７９０２６
【考案の概要】
【考案が解決しようとする課題】
【０００４】しかしながら前記記載の特許文献１，２に記載の従来のゴルフ練習用具は、以下の通りそれぞれ理想的なゴルフスィングフォームを体得するためには効果的でない。また、コストパフォーマンスに優れていない。
特許文献１により開示された技術は両肩と腕にて作る三角形は、右利き左腕肘関節の動きが規制されていないため、バックスイングからスィングフォロースル−に至る過程で左肘関節は依然自在で、よく伸びた左腕形成を基本とする理想的スィング軌道を体得するための練習用具として効果はないに等しい。
特許文献２により開示された技術は、上腕部弾力板と前腕部弾力版を掛け合いにより固定し一体化したものであるので、バックスイングからダウンスイングそして球打まではよく伸びた肘を基本とするスィングフォームを可能とする。しかしながら、球打の瞬間に掛け合い解除により肘関節は自在となるためスィングの重要課題であるフォロースル−の改善、すなわち球打の直後の腕のたたみをより少なくし大きなスィングアーク軌道を理想とするスィングフォームの体得には効果は認められない。また、産業上の利用分野の観点からは、練習用具としては比較的多くの部材を使用しコストパフォーマンスに優れないし、かつ持ち運びや操作の観点から簡便とは言えない。【００５】本考案は、前記従来の課題を解決するためになされたもので、バックスイングからスィングフォロースル−まで、右利きの人はよく伸びた左肘を維持すること、とりわけ重要課題であるフォロースル−の改善、すなわち球打の直後の腕のたたみのより少ない大きなスィングアーク軌道を理想とするスィングフォームの体得には効果的である。提供する練習用具を装着することで、ジャストミート率の向上と距離の飛躍的伸長、並びに正しい方向性確保も格段に向上することを目的としている。
【課題を解決するための手段】
【０００６】上述した課題を解決するため、本考案は、バックスィングからスィングフォロースルーに至るまで左腕の屈曲を防ぐため、縦２０ｃｍ、幅１５ｃｍ、厚さ２ｍｍをそれぞれ標準サイズとした長方形合成皮革または布製の袋形を、更に縦１０列程度に縫合で区切り、弾力性の小さい板状のもの１０枚程度を縦方向に内包するアタッチメント提案する。並びに右利きの人は左肘関節中央部に位置させ上腕と前腕を一体的に包み込み、アタッチメント上下端二か所を腕に固定するマジックテープベルト２本の構成を提案する。
【考案の効果】
【０００７】固定されたアタッチメントにより、従来ともすれば屈曲されがちであった右利き左肘関節は屈曲が規制され、バックスィングから球打まではよく伸びた肘を維持できる。この点特許文献２で示す技術と同様の効果がある。しかし、本考案は、さらに加えて、前技術とは異なりインパクト直後の左上腕のたたみを規制しスィングフォロースル−に至るまで、よく伸びた肘を維持することを可能とする。したがって、スィングアークが従来より大きい理想的なゴルフスィングとなり、ジャストミート率の向上と距離の飛躍的伸長、並びに正しい方向性確保も格段に向上する、いわゆる理想的なゴルフスイングフォームを体得ことが出来る。
【図面の簡単な説明】
【０００８】
【図１】アタッチメントの平面図である
【図２】アタッチメントに縦に配列されている弾力性の小さい板の平面図である
【図３】右利き左腕に固定するためのマジックテープで構成するベルトの平面図である
【図４】アタッチメントの斜視図である
【図５】アタッチメントを左腕に装着した内側面図である。
【図６】アタッチメントを左腕に装着した外側面図である。
【考案を実施するための形態】
【実施例】
【０００９】軽量アルミまたはセルロイド製の弾力性の小さい板を約１０枚内包しているアタッチメントを備わっているベルトで固定しているため、バックスィングからスィングフォロースル−まで右利き左腕の屈曲は抑制され、理想的なスィングフォームを体現できる。
上述と同様、弾力性の小さい板約１０枚内包しているアタッチメンをベルトで固定するため、バックスィングからスィングフォロースル−まで右利き左腕の屈曲は規制され、理想的なスィングフォームを体現できる。
【符号の説明】
【００１０】１．図１，４，５，６に示す番号１は、右利きのゴルファーが肘関節を中心に左腕を包み込むアタッチメント
２．図１，２に示す番号２は、右利きゴルファーの左腕肘関節の屈曲を防止するためのアタッチメント内包の弾力性の小さい板
３．図１，４，５，６に示す番号３は、アタッチメントを腕に装着するためのベルト止め４．図３，４，５，６に示す番号４は、アタッチメントを腕に装着するためのサイズフリーのベルト
５．図３，５に示す番号５は、アタッチメントを腕に装着するためのベルトのバックル
【図１】
0003173079.tif 000003
【図２】
0003173079.tif 000004
【図３】
0003173079.tif 000005
【図４】
0003173079.tif 000006
【図５】
0003173079.tif 000007
【図６】
0003173079.tif 000008
【手続補正書】
【提出日】平成23年11月4日(2011.11.4)
【手続補正１】
【補正対象書類名】明細書
【補正対象項目名】全文
【補正方法】変更
【補正の内容】
【考案の詳細な説明】
【技術分野】
【０００１】本考案は、ゴルフスィングフォームを理想的な形に矯正することができ、短期間かつ効率的に体得することのできる練習用具に関する。
【背景技術】
【０００２】ゴルフプレーはゴルフボールをより遠くへ、かつ一定のエリア内に運ぶこと、１００ヤード前後のショートアプローチはより正確な方向性確保が基本とされている。この実現にはゴルフクラブのスィング軌道が重要であり、特にバックスイングとインパクト（球打）並びにスインググフォロースルーに至るまで一連の理想的なゴルファーのスイングフォームによる正しいスィング軌道の体得が重要である。
このスィングフォームの中で最重要課題は、バックスイングからスィングフォロースル−までよく伸びた左肘（右利き）、とりわけインパクト直前から始まる左肘関節のたたみをより少ないフォロースル−が理想形で、この際にもよく伸びた左肘関節（右利き）を維持した左腕を形成することである。このスィングフォームを体得するためゴルファーは多くの時間を費やしている。そこで一連の軌道を体得するため種々のゴルフ練習用具が提案されている。例えば特許文献１は、上腕部と肩の付け根のあいだの長さを不変とするスペーサーを設け、両肩と腕にて作る三角形を崩さないことで、理想のスィングフォームを可能とするゴルフ練習用具が開示されている。また、特許文献２は、バックスイングからインパクト（球打）までの左肘の屈曲を防止するため、上腕部弾力板並びに前腕部弾力板を形成し、それぞれに装着された両弾力板をキープレートの掛け合いにより固定することにより肘関節の屈曲を防止し、球打の瞬間に掛け合いが解除され、直後から肘の屈曲はフリーになるゴルフ練習用具が開示されている。以下従来の技術について先行技術文献に示されている。
【先行技術文献】
【特許文献】
【０００３】
【特許文献１】実用新案公開平６−７５５４９
【特許文献２】特許公開平６−７９０２６
【考案の概要】
【考案が解決しようとする課題】
【０００４】しかしながら前記記載の特許文献１，２に記載の従来のゴルフ練習用具は、以下の通りそれぞれ理想的なゴルフスィングフォームを体得するためには効果は小さい。また、腕部肘関節それぞれの体系周囲に密着することが重要だが体系に対しフリーではないため接着程度が低く不快感が生じ、かつ肘関節周囲に痛みが発生しやすい欠点があることに加えて、コストパフォーマンスに優れていない。
特許文献１により開示された技術は両肩と腕にて作る三角形は、右利きのゴルファーは左腕肘関節の動きが規制されていないため、バックスイングからスィングフォロースルーに至る過程で左肘関節は依然フリーで、よく伸びた左腕肘関節形成を基本とする理想的スィング軌道を体得するための練習用具として効果は小さい。特許文献２により開示された技術は、上腕部弾力板と前腕部弾力版を掛け合いにより固定し一体化したものであるので、バックスイングからダウンスイングそして球打まではよく伸びた肘関節を基本とするスイングフォーム形成することについては、弾力板のため肘の屈曲防止には効果は小さいが、一応の効果は認められる。しかしながら、球打の直前に掛け合い解除により肘関節はフリーとなるためスイングの重要課題であるスイングフォロースル−の改善、すなわち球打の直前の腕のたたみ防止を訴えるゴルファーの悩みを解決し、ジャストミート率の向上と飛球方向確保、さらに理想的なスィング軌道の体得には効果は認められない。また、産業上の利用分野の観点からは、練習用具としては比較的多くの部材を使用しコストパフォーマンスに優れないし、かつ持ち運びや操作の観点から簡便とは言えない。
【課題を解決するための手段】
【０００５】本考案は、前記従来の課題を解決するためのもので、肘関節を中心に上腕と前腕とに十分に及ぶ長さ約２０ｃｍ、幅約１５ｃｍを有し左腕（右利き）関節を中心に周囲三分の二程度の巻き込みを可能とし、部材を布または合成皮革等の長方形平板状の肘当てを形成したもので、かつ、縦方向全長、横方向全幅１０列程度の区割ポケットを設けそのポケットと同一形状の厚さ約２ｍｍの剛性非弾力板を挿入したものである。そして上腕と前腕に緊縛するため該肘当ての横断方向にはその両側縁に緊縛するに十分なファスナー設けてあることを特徴としたゴルフ練習用具（以後アタッチメントと称する）を提案している。
【考案の効果】
【０００６】左腕（左利きは右腕）肘関節を中心にファスナーで固定されたアタッチメントは、上腕と前腕とに十分に及ぶ長さ約２０ｃｍ、幅約１５ｃｍを有し、かつ、縦方向全長、横方向全幅１０列程度の区割ポケットを設けそのポケットと同一形状の厚さ約２ｍｍの剛性非弾力板を挿入したものである。この効果として、まず、区割してあるため横方向はフリーで、肘関節と腕の形と太さに柔軟に対応することが可能で腕に巻き込みやすくクラブスィング時の不快感を和らげ、かつ高い接着度を維持できる。さらに、挿入した剛性非弾力板により、従来ともすれば屈曲しがちであった肘関節の屈曲が規制され、肘関節を曲げようとしても不可能で正しいクラブスィング軌道が維持される。すなわちゴルファーの悩みであるバックスィング時の左肘の屈曲、インパクト直前からのスィングフォロースルー時の左腕肘関節のたたみが早すぎることなどの課題は、真っ直ぐ伸びた肘関節を維持しゴルフクラブの正しいスィング軌道を確保することにより解決できる。このことは、クラブ初動時とインパクト時点のクラブヘッドとボールとの接点のズレを最小限に維持でき、高いミート率を確保できることは勿論正しい方向性確保も格段に向上し、加えるに、スィング軌道が従来より大きい理想的なゴルフスィングフォームとなるため飛距離の伸長も期待できる。本練習用具を利用し反復練習することにより短期間かつ効率的にフォームの矯正が可能で、後に、本案を利用することなくとも理想的なゴルフスィングが可能となる。
【図面の簡単な説明】
【０００７】
【図１】アタッチメントの全様を示す平面図である
【図２】アタッチメントに横方向に配列された非弾力板の斜視図である。
【図３】アタッチメントの内部を、特に、非弾力版の挿入状態を示した平面図である。
【図４】ファスナーを取り付けた状態のアタッチメントの全様斜視図である。
【図５】アタッチメントを左腕に装着した内側面図である。
【図６】アタッチメントを左腕に装着した外側面図である。
【図７】アタッチメントを左腕に装着し構えたゴルファーの正面図である。
【図８】アタッチメントを左腕に装着しバックスイングした真っ直ぐ伸びたゴルファーの左肘関節状態を示す正面図である。
【図９】アタッチメントを左腕に装着しインパクト直後の真っ直ぐ伸びたゴルファーの左肘関節状態を示す正面図である。
【図１０】アタッチメントを左腕に装着しスィングフォロー時の真っ直ぐ伸びたゴルファーの左肘の状態を示す正面図である。
【考案を実施するための形態】
【実施例】以下本考案の実施例を図を参照しながら説明する。【０００８】図５および６はアタッチメントをゴルファーが左腕に装着した内、外側面図であり、図７、８、９、１０はアタッチメントを左腕に装着し、バックスィングからインパクトスィング、そしてスングフローに至るまで真っ直ぐ伸びた左肘関節の状態を示している。【０００９】本実施例のゴルフ練習具は図１〜４に示した通り、右利きのゴルファーにおいては左肘関節周囲を、スィング時の肘関節の屈曲を防止するため、横方向全幅１０列程度配列した非弾力板図２により上腕と前腕それぞれ三分の二程度を巻き込み、かつ着脱可能なファスナーで緊縛し、非弾力板をポケットに内包した該肘当てと一体化する構成である。【００１０】図５，６は、アタッチメントを左腕に装着した内、外側面図を示し、非弾力板を１０列程度に区割り配列し腕の太さに柔軟に対応できる肘関節に巻き込み両側縁をファスナーで緊縛した状態を説明している。【００１１】図７は、１０列程度に配列した非弾力板を肘関節に巻き込み両側縁をファスナーで緊縛した状態を示し、スィング初動に入るゴルファーの真っ直ぐ伸びた肘関節の状態を説明している。【００１２】図８は、１０列程度に配列した非弾力板を肘に巻き込み両側縁をファスナーで緊縛した状態を示し、バックスィング時におけるゴルファーの真っ直ぐ伸びた肘関節の状態を説明している。【００１３】図９は、１０列程度に配列した非弾力板を肘関節に巻き込み両側縁をファスナーで緊縛した状態を示し、インパクトスィング時におけるゴルファーの真っ直ぐ伸びた肘関節の状態を説明している。【００１４】図１０は、１０列程度に配列した非弾力板を肘関節に巻き込み両側縁をファスナーで緊縛した状態を示し、フォロースィング時におけるゴルファーの真っ直ぐ伸びた肘関節の状態を説明している。
【符号の説明】
【００１５】１．図１，３，４，５，６，７，８，９，１０に示す番号１は、右利きのゴルファーが肘関節を中心に左腕を包み込む非弾力板を内包したアタッチメントを示す。
２．図１，２に示す番号２は、右利きゴルファーの左腕肘関節の屈曲を防止するための非弾力板を示す。
３．図１，３，４，５，６に示す番号３は、非弾力板を腕に装着するためのファスナー止めを示す。
４．図４，５，６に示す番号４は、非弾力板を腕に緊縛するためのファスナーを示す。
５．図５に示す番号５は、非弾力板を腕に緊縛するためのファスナーのバックルを示す。
【手続補正２】
【補正対象書類名】実用新案登録請求の範囲
【補正対象項目名】全文
【補正方法】変更
【補正の内容】
【実用新案登録請求の範囲】
【請求項１】
上腕と前腕とに十分及ぶ長さ約２０ｃｍ、幅約１５ｃｍ、厚さ約２ｍｍを標準サイズとし、部材を布や合成皮革等の長方形平板で肘当て状を形成し、かつ、縦方向全長、横方向全幅に約１０列程度のポケットを設け該ポケットには同一形状の厚さ約２ｍｍの剛性非弾力板を挿入し、バックスイングからスィングフォロースルーに至るまで右利きの人は左腕肘関節の屈曲を防ぐためのゴルフ練習用具。
【請求項２】
アタッチメントを右利きのゴルファーは左腕固定するため、横断方向にその両側縁に上腕と前腕に緊縛するに十分なファスナーを設けてある請求項１記載のゴルフ練習用具。
【請求項３】
軽量アルミニュームまたはセルロイドを素材とする剛性非弾力板をポケットに挿入し、右利きの人は左腕肘関節の屈曲を防ぐための請求項１記載のゴルフ練習用具。
【手続補正３】
【補正対象書類名】図面
【補正対象項目名】全図
【補正方法】変更
【補正の内容】
【図１】
0003173079.tif 000009
【図２】
0003173079.tif 000010
【図３】
0003173079.tif 000011
【図４】
0003173079.tif 000012
【図５】
0003173079.tif 000013
【図６】
0003173079.tif 000014
【図７】
0003173079.tif 000015
【図８】
0003173079.tif 000016
【図９】
0003173079.tif 000017
【図１０】
0003173079.tif 000018